Podtech/llm-jp-corpus-v4-ja_patent huggingface dataset:
(57)【要約】【課題】小型携帯機器に、大きさの違う電池を識別可能とし、また、収納可能とする技術を提供する。【解決手段】機器セット１に設けた電池収納部２は、大きさの異なる電池１０を電池の突起形状１１を識別する検出スイッチによって識別する識別機能を備えると共に、電池１０の大きさに応じて内部空間の大きさを変更する可動片３からなる電池収納部２の収納容積変更手段とを備えた。【選択図】　　　　図１
2004146205.tif 000002
【特許請求の範囲】
【請求項１】
大きさの異なる電池を識別する識別機能と、電池の収納部の収納容積変更手段とを備えたことを特徴とする電池収納装置。
【請求項２】
前記識別手段は電池の突起形状を識別する検出スイッチであることを特徴とする請求項１記載の電池収納装置。
【請求項３】
前記収納容積変更手段は、電池の大きさに応じて内部空間の大きさを変更する移動体であることを特徴とする請求項１又は２記載の電池収納装置。
【発明の詳細な説明】
【０００１】
【発明の属する技術分野】
本発明は、カメラ等の小型電子機器の電池収納装置に関する。
【０００２】
【従来の技術】
カメラ等の小型電子機器、又はフラッシュ等もしくは自動可動部分等を有する小型携帯機器等では、一次電池又は２次電池等を電源として用いる。このような小型携帯機器では電力消費の大きい機能を利用する時には、電気容量の大きい電源を必要とする。例えばムービー等では大容量の電池を要する。このような要求に対応するために用途別に応じて、大きさの異なる電池を装着することができるようにすることが望まれている。用途別に対応させる電気容量を備えた電源をもつために、例えば１次電池と２次電池を併用するようにした装置など、複数の異種の電池を収納することができるようにした装置もある。しかし、複数の電池収納部を備えることは、無駄なスペースを必要とすることとなる。また、異種の電池を識別して表示することも必要であるが従来の電池の識別は同形状の電池しか識別することができなかった。
【０００３】
１次電池、２次電池共用型電池にした収納装置が知られている（例えば、特許文献１参照。）。この装置は一次電池と二次電池との共用の利便性をもたせ、二次電池に対する充電機能を有し、しかも、勘違いによる一次電池への不測の充電動作を回避する安全性をももたせた一次電池・二次電池共用型電池収納装置である。この技術では、電池収納部は同一形状・同一サイズの一次電池と二次電池とをともに収納することができる。二次電池の収納時は二次電池の隙間を埋めるように電池判別補助材をセットする。電池収納部の下方の電池判別用スイッチのスイッチ作動子が電池判別補助材に押し下げられて電池判別用スイッチはオンとなり、充放電切換スイッチを切り換えて二次電池充電回路を二次電池に対する充電出力状態とする。一次電池の収納時は隙間にスイッチ作動子が入るため電池判別用スイッチはオフを保ち、充電に際しては二次電池充電回路は出力状態とならないようになっている。この技術は同一の形状・大きさの一次電池と２次電池を必要とし、また機構が非常に複雑である。
【０００４】
【特許文献１】
特開平１０−１７２５２６号公報（第２〜１０頁、図１）
【０００５】
【発明が解決しようとする課題】
本発明は、電池収納装置に簡易な改善を施して、大きさの違う電池を識別可能とし、また、同一の収納部に収納可能とした技術を提供することを目的とするものである。
【０００６】
【課題を解決するための手段】
本発明は、上記問題点を解決するためになされたもので、次の技術手段を講じたことを特徴とする電池収納装置である。すなわち、本発明は、大きさの異なる電池を識別する識別機能と、電池の収納部の収納容積変更手段とを備えたことを特徴とする電池収納装置である。また、前記識別手段は電池の突起形状を識別する検出スイッチとすると好ましい。さらに前記収納容積変更手段は、電池の大きさに応じて内部空間の大きさを変更する移動体とするとよい。
【０００７】
本発明は、例えば、大きさの違う電池に異なる凸形状を設け、この異なる凸形状を認識することにより識別検出スイッチが電池の大きさを識別する。
【０００８】
本発明の適用される電池としてはリチウムイオンバッテリー、ニッケル水素電池その他の電池などがある。
【０００９】
本発明では大きさの異なる電池を識別可能とし、また収納可能となった。
【００１０】
【発明の実施の形態】
以下図面を参照して本発明の実施の形態を説明する。
【００１１】
図１は本発明の実施例の電池収納装置を示す図である。電池を収納する機器セット１の電池収納部２が示されており、電池１０をこの電池収納部２に矢印１２で示すように装入する直前の状態が示されている。電池収納部２の蓋等は図示省略してある。電池収納部２内には可動片３が内蔵されており、矢印４で示すように移動自在となっている。この可動片３は電池収納部２を小さくする方向に付勢されている。この可動片３によって大きさの異なる電池を隙間なく収納することができる。
【００１２】
電池１０には突起１１が設けられている。図２は電池１０の大きさによって、突起１１の形状を例えば突起１１ａ，１１ｂのように異なる形に形成しておく例を示したものである。
【００１３】
図３は電池１０を矢印１２で示すように電池収納部２内に装入した状態を示す部分図である。突起１１は検知スイッチ２０のスイッチ片２１を押し、スイッチ２０は電池の装入を認識し、この認識に基いて機器は必要な信号を発信する。例えばＬＥＤランプ又はＬＣＤ等に電池収納の有無を表示させる。このとき、例えば、大きさの異なる電池に図２（ａ）、（ｂ）に示すように異なる形状の突起１１ａ，１１ｂを設けておき、検知スイッチ２０のスイッチ片２１を例えば図４に示すように左右方向２２又は２３に傾動するようにし、この傾動方向の差により、収納された電池の大きさの差異や異同を半別することができる。
【００１４】
なお、図２〜図４に示した技術は例示であって、認識機能を備えた他のどのような手段をとっても差支えない。
【００１５】
【発明の効果】
本発明によれば、大きさの違う電池がそれぞれ、使用可能となり、またそれを識別可能にすることによって、用途に応じて適切な電池を装着することが可能となり、電池の動作時間、撮影枚数等をＬＣＤ等に表示することができる。
【図面の簡単な説明】
【図１】実施例を説明する斜視図である。
【図２】電池の大きさの異なることを示す突起の説明図である。
【図３】電池の識別手段の説明図である。
【図４】検出スイッチの説明図である。
【符号の説明】
１　　機器セット
２　　電池収納部
３　　可動片
４　　矢印
１０　　電池
１２　　矢印
１１　　突起
１１ａ，１１ｂ　　突起
２０　　検知スイッチ
２１　　スイッチ片
２２、２３　　左右方向
【図１】
2004146205.tif 000003
【図２】
2004146205.tif 000004
【図３】
2004146205.tif 000005
【図４】
2004146205.tif 000006
(57)【要約】【課題】電子機器の導電性を有する操作スイッチ等に蓄えられる静電気を、確実に逃がすことができる静電対策構造を提供する。【解決手段】電子機器の導電性を有する操作部材の可動範囲内に、フレキシブル回路基板に実装した導電性の弾性材を前記操作部材に接触するように配設した。【選択図】　　　　図１
2004146203.tif 000002
【特許請求の範囲】
【請求項１】
電子機器の導電性を有する操作部材の可動範囲内に、フレキシブル回路基板に実装した導電性の弾性材を前記操作部材に接触するように配設したことを特徴とする電子機器の静電対策構造。
【発明の詳細な説明】
【０００１】
【発明の属する技術分野】
本発明は、電子機器の静電対策構造に関する。
【０００２】
【従来の技術】
電子機器の操作ボタンやダイアル等の操作部材は、金属メッキや金属蒸着処理がなされ、外観や品質を高めているのが一般的で、導電性を有するように形成されている。このような操作部材には静電気が蓄えられ、蓄えられた静電気の放電により、電子機器が静電破壊を起こす懸念がある。
【０００３】
このような静電破壊の問題を解決するために、外装ケースがアルミニウムなどの導電性を有する材料によって形成されているカメラ等の電子機器では、外装ケースの表面を被覆している絶縁被膜の一部を削り取る等の手段により欠除させて放電面を形成し、この放電面から外装ケースに静電気を逃がすようにした技術がある。（例えば、特許文献１参照。）。
【０００４】
この技術は、静電気が縁面距離の近い部分に放電すると言う特性を利用する技術で、電子機器の内部の電子回路の縁面距離より近い距離にある外装ケースの一部に放電すべき縁面を設け、外装ケースに放電させるものである。この技術は優れた技術であるが、接触放電させるわけではないので、確実性の点において改善する余地がある。
【０００５】
【特許文献１】
特開２０００−３２３２９５号公報（段落［０００７］参照）
【０００６】
【発明が解決しようとする課題】
本発明はこのような従来の技術よりもさらに確実性の高い、電子機器の静電対策構造を提供することを目的とするものである。
【０００７】
【課題を解決するための手段】
本発明は、上記問題点を解決するためになされたもので、次の技術手段を講じたことを特徴とする電子機器の静電対策構造である。すなわち、本発明は、電子機器の導電性を有する操作部材の可動範囲内に、フレキシブル回路基板に実装した導電性の弾性材を前記操作部材に接触するように配設したことを特徴とする電子機器の静電対策構造である。導電性の弾性材としては例えば金属製のコイルスプリング、被ばね等を用いることができる。また、操作部材に接触するように配設することは操作部材に常時接触するように付勢されているか又は結合されていてもよく、操作部材の移動時に接触するようにしておくことでもよい。
【０００８】
本発明によれば、フレキシブル回路基板に導電性のスプリング等から成る弾性材を実装し、この弾性材が操作部材に接触するようにした。このため操作部材に蓄積される静電気が弾性材及びフレキシブル回路基板を介して接地されることとなる。従って、操作部材に静電気が蓄積されることがなく、静電気による障害を完全になくすることができる。
【０００９】
【発明の実施の形態】
以下図面を参照して本発明の実施の形態を説明する。図２は従来技術を示す操作スイッチ１０の断面を示す説明図である。操作スイッチ１０は、表面が金属めっき又は金属蒸着されている。操作スイッチ１０のキートップ１１は、金属ケース４０の孔を貫通して設けられている。このキートップを押圧することによって、操作スイッチの接点部１２が回路基板３０に装着しているスイッチ２０を開閉する。金属ケース４０は例えばアルミニウム合金からなり、その表面は絶縁膜４１で被覆されている。この絶縁被膜の一部を機械加工等によって削り取り、金属露出面４２を操作スイッチ１０のキートップ１１に近接した位置に設けている。操作スイッチ１０の下部フランジ１３が金属露出面４２に近接すると、キートップ１１に蓄えられている静電気は沿面放電し、金属ケース４０に逃がされる。しかし接触放電するわけではないので、キートップ１１に静電気がある程度蓄積されることとなり、静電気による障害が確実に排除されるとは必ずしも言えない。
【００１０】
図１は本発明の実施例の電子機器の静電対策構造を示す説明図である。
【００１１】
この実施例では、電子機器の静電対策構造として、操作スイッチ１０の下部フランジ１３の下面に接触するように、導電性のコイルスプリング１４をフレキシブル回路基板３０上に実装した。導電性スプリング１４は常時下部フランジ１３の下面に接触するように結合又は付勢されるようにしてもよく、操作スイッチ１０の操作時に接触するようにしてもよい。導電性スプリング１４は１個でもよいが、複数個備えておくと確実性を一層高めることができる。また、他の目的、たとえば付勢材として用いる部材を導電性材料で構成し兼用することとしてもよい。
【００１２】
本発明の対策により、操作スイッチ１０の一部がフレキシブル回路基板３０を介して接地されることになり、静電気は直ちに放電してしまい、蓄積されることはない。従って、蓄積された静電気の放電によって電子機器に損傷を与えることは全くない。
【００１３】
【発明の効果】
本発明の電子機器の静電対策構造は以上のように構成されているので、操作スイッチのキートップに静電気が蓄積されることがなく、静電気による電子機器の障害を完全に排除することができるという優れた効果を奏する。
【図面の簡単な説明】
【図１】実施例の模式的縦断面図である。
【図２】従来技術の模式的縦断面図である。
【符号の説明】
１０　　操作スイッチ
１１　　キートップ
１２　　接点部
１３　　フランジ
１４　　導電性スプリング（弾性材）
２０　　スイッチ
３０　　回路基板
４０　　ケーシング
４１　　絶縁被覆
４２　　露出面
【図１】
2004146203.tif 000003
【図２】
2004146203.tif 000004
(57)【要約】【課題】電子機器の導電性を有する操作スイッチ等に蓄えられる静電気を、確実に逃がすことができる静電対策構造を提供する。【解決手段】操作スイッチ１０の下端を延長して延長部１４を形成し、この延長部１４をフレキシブル基板回路３０に実装させて、直接、静電気を逃がし、静電気の蓄積を防止するようにした。【選択図】　　　　図１
2004146201.tif 000002
【特許請求の範囲】
【請求項１】
電子機器の導電性を有する操作部材をフレキシブル回路基板に実装することを特徴とする電子機器の静電対策構造。
【発明の詳細な説明】
【０００１】
【発明の属する技術分野】
本発明は、電子機器の静電対策構造に関する。
【０００２】
【従来の技術】
電子機器の操作ボタンやダイアル等の操作部材は、金属メッキや金属蒸着処理がなされ、外観や品質を高めているのが一般的で、導電性を有するように形成されている。このような操作部材には静電気が蓄えられ、蓄えられた静電気の放電により、電子機器が静電破壊を起こす懸念がある。
【０００３】
このような静電破壊の問題を解決するために、外装ケースがアルミニウムなどの導電性を有する材料によって形成されているカメラ等の電子機器では、外装ケースの表面を被覆している絶縁被膜の一部を削り取る等の手段により欠除させて導通面を露出させ、この導通面から外装ケースに静電気を逃がすようにした技術がある。（例えば、特許文献１参照。）。
【０００４】
この技術は、静電気が縁面距離の近い部分に放電すると言う特性を利用する技術で、電子機器の内部の電子回路の縁面距離より近い距離にある外装ケースに放電すべき縁面を設け、外装ケースに放電させるものである。この技術は優れた技術であるが、接触放電させるわけではないので、確実性の点において改善する余地がある。
【０００５】
【特許文献１】
特開２０００−３２３２９５号公報（段落［０００７］参照）
【０００６】
【発明が解決しようとする課題】
本発明はこのような従来の技術よりもさらに確実性の高い、電子機器の静電対策構造を提供することを目的とするものである。
【０００７】
【課題を解決するための手段】
本発明は、上記問題点を解決するためになされたもので、次の技術手段を講じたことを特徴とする電子機器の静電対策構造である。すなわち、本発明は、電子機器の導電性を有する操作部材をフレキシブル回路基板に実装することを特徴とする電子機器の静電対策構造である。
【０００８】
本発明によれば、操作部材はフレキシブル回路基板を介して接地されていることとなる。従って、操作部材に静電気が蓄積されることがなく、静電気による障害を完全になくすることができる。
【０００９】
【発明の実施の形態】
以下図面を参照して本発明の実施の形態を説明する。図２は従来技術を示す操作スイッチ１０の断面を示す説明図である。操作スイッチ１０は、表面が金属めっき又は金属蒸着されている。操作スイッチ１０のキートップ１１は、金属ケース４０の孔を貫通して設けられている。このキートップを押圧することによって、操作スイッチの接点部１２が回路基板３０に装着しているスイッチ２０を開閉する。金属ケース４０は例えばアルミニウム合金からなり、その表面は絶縁膜４１で被覆されている。この絶縁被膜の一部を機械加工等によって削り取り、金属露出面４２を操作スイッチ１０に近接した位置に設けている。操作スイッチ１０の下部フランジ１３が金属露出面４２に近接すると、キートップ１１に蓄えられている静電気は沿面放電し、金属ケースに逃がされる。しかし接触放電するわけではないので、キートップに静電気がある程度蓄積されることとなり、静電気による障害の排除は必ずしも確実とは言えない。
【００１０】
図１は本発明の実施例の電子機器の静電対策構造を示す説明図である。
【００１１】
本発明の電子機器の静電対策構造は、操作スイッチ１０の下部フランジ１３の下端を延長して、延長部１４を形成し、この延長部１４をフレキシブル回路基板３０上に実装するようにした。延長部１４には適宜の伸縮性、可撓性を付与しておく。本発明の対策により、操作スイッチ１０の一部がフレキシブル回路基板３０を介して常に接地されていることになり、静電気は発生の都度、直ちに放電してしまい、蓄積されることはない。従って、蓄積された静電気の放電によって電子機器に損傷を与えることは全くない。
【００１２】
【発明の効果】
本発明の電子機器の静電対策構造は以上のように構成されているので、操作スイッチのキートップに静電気が蓄積されることがなく、静電気による電子機器の障害を完全に排除することができるという優れた効果を奏する。
【図面の簡単な説明】
【図１】実施例の模式的縦断面図である。
【図２】従来技術の模式的縦断面図である。
【符号の説明】
１０　　操作スイッチ
１１　　キートップ
１２　　接点部
１３　　フランジ
１４　　延長部
２０　　スイッチ
３０　　回路基板
４０　　ケーシング
４１　　絶縁被覆
４２　　露出面
【図１】
2004146201.tif 000003
【図２】
2004146201.tif 000004
(57)【要約】【課題】従来技術のよ引こ本体１側面ご切起しとうを設けることなく端板３との美観を向上させた蛍光灯器具を提供する。【解決手段】器具本体１長手方向の両端の台形面端部に折り曲げ爪１２を設け、天井面と当接する面に折り曲げ片１６を設け、端板３と嵌合係止めして本体１の外観から見える部分には切起し等を設けない嵌合係止構造とすることにより、１１ＯＷ器具などの長尺器具に塗装作業を廃止できる塗装鋼板の採用を可能とするとともに、外観を向上させる。【選択図】　　図１
2004146320.tif 000002
【特許請求の範囲】
【請求項１】
一面開放形の器具本体を備え、前記器具本体の開放榊則に点灯装置取付け、点灯装置や内部配線を覆い器具本体に着脱自在に装着される反射板を備え、前記器具本体長手方向の両端を閉じて器具本体長手端部に岡定される１対の端板を備える蛍光灯器具において、
前記器具本体天井面側の端部の平面部に端板と固定するネジ止め用穴を設け、器具本体の台形の斜め面に端板の角穴に内側から嵌合して隙間が空かないように曲げる爪を設け、器具本体の下端に端板に当接する面を設け、立ち上がり部分は平面とし、天井に当たる面に曲げ込まれた器具本体の端片を設け、前記端板には本体の平面部のネヅ止め穴に対応するフランジ部を設け、器具本体の台形面にフランジ部と器具本体の爪を挿入して本体の下端の面に当該させ隙間の発生を防ぐような位置置関係に爪挿入穴を設け、天井曲こ当たる上端の幅方向の両端に器具本体の端片と係止する折り曲げ片を設け、器具本体立上り部と側板との間に隙間が出ないよう々こ構成したことをこより、本体側面に嵌合係止めのため切起し等を無くしたことを特徴とする蛍光灯器具。
【発明の詳細な説明】
【０００１】
【発明の属する技術分野】
本発明は、蛍光灯器具における反射面を一体的をこ構成した器具本体と両端部を閉じる端板において、嵌合係止のための切欠き、止めネジ等が器具の外観から見えないようにするための固定方法をこ関するものである。
本発明は、特に塗装鋼板等を用いた器具において本体と端板の嵌合係止めに有効な手段である。
【０００２】
【従来の技術】
従来は、両開放形の器具木体と器具長手方向の両端部を閉じる１対の端板を設け、本体側面の外観に複数個の切起しを設け、この切起しに嵌合係賦される嵌合片を端板むく設け嵌合し、本体背面側で本体と端板のフランジ部をネジ止めして、端板を固定する方法であり、器具側面に嵌合のための切起しと、嵌合片の一部が露出する構造で、外観を損ねるという問題があった。
【０００３】
【発明が解決しようとする課題】
本発明の目的は、特に長尺な器具で塗装を省略できる塗装鋼板を用いた本体と端板との嵌合力法において、本体側面に嵌合のための切起し等の加工を無くしてかつ確実な嵌合係止を行うことにより外観の美観向上させた蛍光灯器具を提供することにある。
【０００４】
【課題を解決するための手段】
上記目的を達成するために、−面開放形の器具本体を備え、前記器貝本体の開放面側に点灯装置取付け、点灯装置や内部配線を覆い器具本体に着脱自在に装着される反射板を備え、前記器具本体長手方向の両端を閉じて器具本体長手端部に固定される１対の端板を備える蛍光灯器具こおいて、
前記器具本体天井面側の端部の平面部こ端板と固定するネヅ止め用穴を設け、器具本体の台形の斜め面に端板の角穴に内側から嵌合して曲げる爪を設け、器具本体の下端に端板に当接する面を設け、側面立ち上がり部分には加工せず平面とし、大井に当たる面に本体内側に曲げ込まれた端片を設け、前記端板には本体の平面部のネヅ止め穴に対応するフランジ部を設け、器具本体の台形面にフランジ部と器具本体の爪を挿入して本体の下端の面に当接させ隙間の発生を防ぐような位置置関係に爪挿入穴を設け、台形部の下端に本体の下端内面に当接する片を設け、天井画に当たる上端幅方向の両端こ器具本体の端片を係止する折り曲げ片を設けた構成とした。
【０００５】
【発明の実施の形態】
図１から図６を用いて、本発明の実施形態ること凡て説明する。図示の蛍光灯器器具は、一面開放形の器具本体１を備え、前記器具本体１の開放面側に点灯装置取付け、点灯装置や内部配線を覆い器具本体耳こ着脱白在に装着される反射板２を備え、前記器具本体１長手方向の両端を閉じて器具本体１長手端部に固定される１対の端板３を備える蛍光灯器具において、
前記器具木体１天井面側の端部の平面部に設けたネジ止め用穴１１に前記端板３のフランジ部３１にネヅ止め穴１１に対応するように設けたネジ穴３２にセルフタッピンネジ等で固定される。なお、この部分は反射板刻こより覆われ外観から見えることは無い。器具本体１の台形の斜め面には折曲げ爪１２を設け、端板の下端３４が本体の下端内面１３に当接して隙間の出ないようにＡ、Ｂの寸法関係を設定した角穴３３に内側から折り曲げ爪１２を嵌合させた後折り曲げることにより本体の台形面の端部と端板内面、及び本体下端１３と端板３４との隙間の発生を防止している。
器具本体１の下端には端板３４に当接する面１３を設け、側面立ち上がり部分１１４は加工せず平面とし端板のフランジ部３５との隙間を無くすため天井に当たる面１５に本体内側に曲げ込まれた端片１６を設け、これを折り曲げて端板の折り曲げ片３６に設けた曲げ片３７に係止させ端板３の内側と外側への動きも防止する構成とした蛍光灯器具である。
【０００６】
【発明の効果】
本発明によれば、特に１１ＯＷ器具のように長尺な器風こおいては本体板金の塗装作業が困難なことから塗装作業を廃止できる塗装鋼板の採用が可能となり、本体の側面端部に端板との嵌合係止用の切起しやネジ等を使用せずに確実で美観を損なうことの無いきれいな外観の蛍光灯器具を提供することができる。
【図面の簡単な説明】
【図１】本発明器具の腰部斜視図である。
【図２】図１の端部の断面図図である
【図３】本発明による本体と端板の天井面側の嵌合係止部の部分斜視図である。
【図４】本発明による蛍光灯器具の外観図である。
【図５】従来技術による蛍光灯器具の外観図である。
【図６】図５の本体と端板との嵌合部分解図である。
【符号の説明】
１：器具本体
２：反射板
３：端板
１２：折り曲げ爪
１６：折り曲げ片
３１：フランジ部
３３：角穴
３４：当接片
３７：係止片
７１：嵌合用切起し
９１：嵌合係止め片
９２：係止め用突起
【図１】
2004146320.tif 000003
【図２】
2004146320.tif 000004
【図３】
2004146320.tif 000005
【図４】
2004146320.tif 000006
【図５】
2004146320.tif 000007
【図６】
2004146320.tif 000008
(57)【要約】　　　（修正有）【課題】器具本体１の取付け受け部と、灯体７を含むカバー５等の取付け部とが、係合されることによりカバー５等の落下による事故防止となる器具を提供する。【解決手段】天井面に装着する器具本体１を備える。前記器具本体１の下方にいてそれと機械的かつ電気的に着脱自在に装着される灯体７を備える。前記器具本体１の周縁側寄りにほぼ等間隔に都合３個の取付け受け部２Ａ，３Ａ，４Ａを配置する。前記灯体７における前記各取付け受け部２Ａ，３Ａ，４Ａと対応する位置に取付け部２Ｂ，３Ｂ，４Ｂを配置する。前記取付け受け部２Ａ，３Ａ，４Ａとこれに対応する前記取付け部２Ｂ，３Ｂ，４Ｂの相互関係を前記灯体７を垂直軸回りに少し回動させて機械的かつ電気的に着脱する回転引っ掛け方式とする。【選択図】　　図１
2004146319.tif 000002
【特許請求の範囲】
【請求項１】
天井面に装着する器具本体を備え、前記器具本体の下方にいてそれと機械的かつ電気的に着脱自在に装着される灯体を備えた天井直付け形照明器具において、
前記器具本体の周縁側寄りにほぼ等間隔に都合３個の取付け受け部を配置し、前記灯体における前記各取付け受け部と対応する位置に取付け部を配置し、前記取付け受け部とこれに対応する前記取付け部の相互関係を前記灯体を垂直軸回りに少し回動させて機械的かつ電気的に着脱する回転引っ掛け方式とし、
天井側の電源配線を前記取付け受け部の一つに接続し、前記一つの取り付け受け部に対応する前記取付け部と他の取付け部との間に接続配線を施し、前記他の取付け部と対応する前記取付け受け部と残りの前記取付け受け部との間に別の接続配線を施し、前記残りの取り付け受け部に対応する残りの前記取付け部から灯体内配線を延在させ、前記各取付け受け部・取付け部間の電気的接続が確保されたときに前記灯体に属する光源が点灯するようにしたことを特徴とする天井直付け形照明器具。
【発明の詳細な説明】
【０００１】
【発明の属する技術分野】
本発明は、天井直付け形照明器具に関する。
【０００２】
【従来の技術】
図３に従来器具を示す。同器具は、器具本体１０にランプ１２を搭載し、取り付け受け部１１を備え、カバー１３に取り付け部１４を備える。
従来、カバー１３の係合確認方法が、軽くカバー１３を引っ張って確認したり、カバー１３が本体に全周均一に装着されているのを目視したりなどで、誰もが簡単に確実に確認できると言えるものでははかった。
【０００３】
【発明が解決しようとする課題】
カバー１３の本体への取付けの際に、カバー１３が本体に確実に係っていない状態が生じ、カバー１３落下による事故につながる恐れがあった。本発明はこの難点を解決するものである。
【０００４】
【課題を解決するための手段】
本発明においては、器具本体の周縁側寄りにほぼ等間隔に都合３個の取付け受け部を配置し、前記灯体における前記各取付け受け部と対応する位置に取付け部を配置し、前記取付け受け部とこれに対応する前記取付け部の相互関係を前記灯体を垂直軸回りに少し回動させて機械的かつ電気的に着脱する回転引っ掛け方式とし、
天井側の電源配線を前記取付け受け部の一つに接続し、前記一つの取り付け受け部に対応する前記取付け部と他の取付け部との間に接続配線を施し、前記他の取付け部と対応する前記取付け受け部と残りの前記取付け受け部との間に別の接続配線を施し、前記残りの取り付け受け部に対応する残りの前記取付け部から灯体内配線を延在させ、前記各取付け受け部・取付け部間の電気的接続が確保されたときに前記灯体に属する光源が点灯するようにした。
【０００５】
【発明の実施の形態】
図１・図２を用いて本発明の実施形態について説明する。図１に本発明の概略図を示す。器具本体１の周縁側寄りにほぼ等間隔に都合３個の取付け受け部２Ａ、３Ａ、４Ａを配置し、カバー５にランプ６を搭載した灯体７には前記各取付け受け部２Ａ、３Ａ、４Ａと対応する位置に取付け部２Ｂ、３Ｂ、４Ｂを配置し、前記取付け受け部２Ａ、３Ａ、４Ａとこれに対応する前記取付け部２Ｂ、３Ｂ、４Ｂの相互関係を前記灯体７を垂直軸回りに少し回動させて機械的かつ電気的に着脱する回転引っ掛け方式としている。
取付け受け部２Ａおよび取付け部２Ｂの係合の形状を、取付け受け部３Ａと４Ａおよび取付け部３Ｂと４Ｂとは異なる形状にしておき、係合位置が常に決まるようにしている。
図２に本発明の配線図を示す。天井側の電源配線は器具本体１に搭載されるインバータ基板８に配線され、前記取付け受け部２Ａに接続し、前記取り付け受け部２Ａに対応する前記取付け部２Ｂと他の取付け部３Ｂとの間に接続配線を施し、前記他の取付け部３Ｂと対応する前記取付け受け部３Ａと残りの前記取付け受け部４Ａとの間に別の接続配線を施し、前記残りの取り付け受け部４Ａに対応する残りの前記取付け部４Ｂから灯体７内に配線を延在させ、前記各取付け受け部・取付け部間の電気的接続が確保されたときに前記灯体７に属するランプ６が点灯するようにした。
【０００６】
【発明の効果】
器具本体の取付け受け部と、灯体を含むカバー等の取付け部とが、係合されることにより光源が点灯することで、確実に都合３ヶ所が係合されたことが、誰もが簡単に確実に確認することが可能となり、カバー等の落下による事故防止となる。また、カバー側に光源を搭載する事で、ランプ交換も簡単になる。
【図面の簡単な説明】
【図１】本発明器具の概略図である。
【図２】本発明器具の配線図である。
【図３】従来器具の概略図である。
【符号の説明】
１．．．器具本体、２Ａ，３Ａ，４Ａ…取付け受け部、２Ｂ，３Ｂ，４Ｂ…取付け部５…カバー、６…ランプ、７…灯体、８…インバータ基板、１０…器具本体
１１…取り付け受け部、１２…ランプ、１３…カバー、１４…取り付け部
【図１】
2004146319.tif 000003
【図２】
2004146319.tif 000004
【図３】
2004146319.tif 000005
(57)【要約】【課題】従来の隙間（７０）を無くすことで、器具構造及び組立作業す生を改善することを目的とする。【解決手段】反射板１は天井面４０こねじ止めされる中央面部１ａの取り付け穴と該中央面部１ａの周囲から連接して立下がる環状の立下がり壁面部１ｂと該立下がり壁面部１ｂに連接してそこから水平方向こ広がる底面部１Ｃと該底面部１Ｃに連接してそこから立上がる環状の立上がり壁面部１ｄを含み、前記立下がり壁面部１ｂ・底面部１ｂ・立上がり壁面部１ｄおよび前記器具本体２で覆われるドーナツ状の空間を部品収納部とする。【選択図】　　図１
2004146327.tif 000002
【特許請求の範囲】
【請求項１】
天井面に対向する器具本体を備え、前記器具本体と組み合わされて部品収納部を形成する反射板を備え、前記部品収納部に収納する点灯装置を備え、前記反射板は前記天井面にねじ止めされる中央面部と該中央両部の周囲から連接して立下がる環状の立下がり壁面部と該立下がり壁面部に連接してそこから水平方向に広がる底面部と該底面部に連接してそこから立上がる環状の立上がり壁面部を含み、前記立下がり壁面部・底面部・立上がり壁面部および前記器具本体で覆われるドーナツ状の空間を前記部品収納部としたことを特徴とする直付け形照明器具。
【発明の詳細な説明】
【０００１】
【発明の属する技術分野】
本発明は直付け形照明器具における、天井面ご対向する器具本体と部品収納部を形成する反射板を備えた器具に関する。
【０００２】
【従来の技術】
天井面にねじ止めされる器具中央面部の取り付け穴を天井面に対向する器具本体に備え、部品収納部を形成する反射板中央面部には、前記器具本体中央面部の取り付け穴を使用可能とする為の穴を空けていた。
【０００３】
【発明が解決しようとする課題】
上記従来技術は、器具中央面部の取り付け穴部で本体と反射板との間に隙間が出る為、取り付け穴で器具本体をねじ止めして取引寸ける場合、ねじ止め中にねじがずれて本体と反射板との隙間こねじが入り込んだり、また、異物などが前記隙間から入り込む可能性があった。そして、前記隙間を塞ぐ為、本体と反射板をねじ止めしたり、また、そのねじ止めする為のスペースを構造的備える必要があったりなどの作業が必要であった。
本発明の目的は隙間を無くすことで、器具構造及び組立作業す生を改善することを目的とする。
【０００４】
【課題を解決するための手段】
本発明においては、反射板において、前記反射板は天井面こねじ止めされる中央面部の取り付け穴と該中央面部の周囲から連接して立下がる環状の立下がり壁面部と該立下がり壁面部に連接してそこから水平方向こ広がる底面部と該底面部に連接してそこから立上がる環状の立上がり壁面部を含み、前記立下がり壁面部・底面部・立上がり壁面部および前記器具本体で覆われるドーナツ状の空間を前記部品収納部とする。
【０００５】
【発明の実施の形態】
本発明の実施形態について図より説明する。図１は器具全体概略図を示す。反射板１のドーナツ状の空間部にインバーター３を収納した前記反射板１を、反射板外周１ｅで２本体にねじ止めして固定ている。他、部品構成は図の通り。
図２に本発明の反射板形状を示す。取引ポナ穴２０を備えた中央面部１ａと、前記中央面部１ｅの周囲から連接して立下がる環状の立下がり壁面部１ｂと、前記立下がり壁面部１ｂに連接してそこから水平方向こひろがる底面部１ｃと、前記底面部１ｃから連接してそこから立上がる環状の立上がり壁面部１ｄと、前記同立上がり壁面部１ｄから連接してそこから水平方向にひろがる反射板外周１ｅとで構成される。
図３に本体形状を示す。反射板１と２本体とをねじ止めして固定した状態において、反射板１の取り付け穴２０が２本体で裏がれない様に、外周部を立ち下げた本体２の中央部に本体穴３０が空いている。
また、反射板１の取り付け穴２０と同形状にした本体例２ａの本体小穴３０ａ形状としている。
図４に本発明での取り付けの簡略化した断面図を示す反射板１の中央面部１ａの取り付け穴２０を使用して、木ねじ４１で天井面４０に器具を取り付ける。これより、本発明では、図６で説明する従来構造での隙間７０を無くし、構造的・組立作業的に改善することができる。図５に従来反射板の斜視図を示ず。図６に従来の取り付けの簡略化した断面図を示す。従来反射板５０の従来反射板中央面部５０ａには、従来反射板中央穴５０ｂが空いており、従来本体６０に備えた従来本体中央両部６０ａの従来本体取り付け穴６０ｂを使用して、木ねじ４１で天井面４０に器具を取り付ける。このとき、従来反射板中央穴５０ｂと従来本体中央面部６０ａとの隙間７０が空く為、器具をねじ止めする場合に隙間７０から器具内部にねじが入ってしまわない等の配慮の為、隙間７０が空かないようにするため、ねじで固定するなど必要であった。
【０００６】
【発明の効果】
本発明によれば、取付け穴を備えた中央両部に連接した反射板とすることで、従来の、隙間を塞ぐ為のねじ止めや、止める為のスペースを構造的に備えるなどの作業を無くすことができるため、作業的、構造的に改善される効果がある。
【図面の簡単な説明】
【図１】本発明器具の全体概略を示す斜視図である。
【図２】その反射板形状を示す斜視図である。
【図３】その本体形状を示す斜視図である。
【図４】その簡略断面図である。
【図５】従来の反射板を示す斜視図である。
【図６】その簡略断面図である。
１：反射板、１ａ：中央面部、１ｂ：立下がり壁面部、１Ｃ：底面部、１ｄ：立上がり壁面部、１ｅ：反射板外間、２：本体、２ａ：本体例、３：インバーター、４：蛍光ランプ、５：カバー、６：カバー引掛金具、７：ランプソケット、８：ランプホルダー、９：電源接続端子、２０：取引寸け穴、３０：本体穴、３０ａ：本体小穴、４０：天井面、４１：木ねじ、５０：従来反射板、５０ａ：従来反射板中央面部、５０ｂ：従来反射板中央穴、６０：従来本体、６０ａ：従来本体中央面部、６０ｂ：従来本体取り付け穴、７０：隙間
【図１】
2004146327.tif 000003
【図２】
2004146327.tif 000004
【図３】
2004146327.tif 000005
【図４】
2004146327.tif 000006
【図５】
2004146327.tif 000007
【図６】
2004146327.tif 000008
(57)【要約】【課題】電撃防止による安全性の確保及び雑音電力及び雑音端子・電圧の低減による信頼性の向上を図り、低コストの１灯２連結形照明器具を提供する。【解決手段】両器具本体１・２を導電性金具１０で係合させることにより、接地を取るようにした。これにより、接続コネクタ極数の低減及び接地線固定作業工数の低減により、低コストの１灯２連結形照明器具となる。【選択図】　　　図１
2004146321.tif 000002
【特許請求の範囲】
【請求項１】
蛍光ランプ１灯と２灯用点灯装置を内蔵する照明器具と、蛍光ランプ１灯と前記点灯装置で点灯させる照明器具とで構成される１灯２連続形照明器具において、両器具本休を導電性金具で接続したことを特徴とする蛍光灯照明器具。
【発明の詳細な説明】
【０００１】
【発明の属する技術分野】
本発明は蛍光灯ランプを使用する１灯２連結形照明器具に関する。
【０００２】
【従来の技術】
従来の１灯２連結形蛍光灯照明器具は図３に示すように、２灯用点灯装置及び電源端子台を内蔵した器具本体と反射板とランプソケットと蛍光ランプからなる１灯用照明器具と、点灯装置を内蔵しない器具本休と反射板とランプソケットと蛍光ランプからなる１灯用照明器具を隣接するように設置し、両器具間は接続コネクタにより電気的に接続される。
このような器具の場合、電撃防止や雑音電力及び雑音端子電圧の低減のため、両器具間の接地を取る必要があり、従来では図４〜図５に示すように接続コネクタの１線を接地線とし、その両端は両器具の本体に固定する方法としていた。
【０００３】
【発明が解決しようとする課題】
前記照明器具は、両照明器具間の接地を取るため、接続コネクタの１線を接地線とするため接続コネクタの極数を増やす必要が有り、また、接地線の両端は両器具本体に丸形端子、ネジ、ナットで固定する必要が有るため作業工数増によるコスト高の問題があつた。
本発明の目的は、電撃防止による安全性の確保及び雑音電力及び雑音端子・電圧の低減による信頼性の向上を図り、低コストの１灯２連結形照明器具を提供することにある。
【０００４】
【課題を解決するための手段】
上記目的を達成するため、両器具本体を導電性金具で係合させることにより、接地を取るようにした。これにより、接続コネクタ極数の低減及び接地線固定作業工数の低減により、低コストの１灯２連結形照明器具を提供できる。
【０００５】
【発明の実施の形態】
本発明の実施形態を図面で説明する。図１〜図２は、１灯２連結形照明器具の−実施例を示し、２灯用点灯装置３及び電源端子台４を内蔵した器具本体１と反射板５とランプソケット６と蛍光ランプ７からなる１灯用照明器具と、点灯装置を内蔵しない器具本体２と反射板５とランプソケット６と蛍光ランプ７からなる１灯用照明器具を隣接するように設置している。
両器具間はランプ線８が接続された４極の接続コネクタ９Ａ、９Ｂで接続され２灯用点灯回路が構成される。接地用電線が接続可能な電源端子台４は、器具本体１に取付けることにより器具本体１と導適する接地構造となっている。点灯装置３を内蔵した器具本体１と点灯装置３を内蔵しない器具本体２導電性金具１０により係合接続することで電気的に接続され　両器具共接地が可能となる。
このため、万一の電路の地絡による感電を防止することができるため安全性が確保でき、また点灯装置から発生する雑宵電力及び雑音端子電圧のレベルを低減させることができるため信頼性の向上が図られ、さらに接続コネクタの極数・接地線・固定ネジ等の低減及び作業工数低減によるコストダウンを図ることができる。
【０００６】
【発明の効果】
本発明によれば，電撃防止による安全性の確保及び膝雑音電力及び雑音端子電圧の低減による信頼性の向上を図り、低コストの１灯２連結形照明器具を提供できる。
【図面の簡単な説明】
【図１】本発明器具の斜視図である。
【図２】その部分斜視図である。
【図３】従来器具を示す断面図である。
【図４】その結線図である。
【図５】同従来器具の部分断面図である。
【符号の説明】
１．．．点灯装置内蔵器具本体，２．．．点灯装置無し器具本体，３．．．２灯用点灯装置、４．．．電源端子台，５．．．反射板，６．．．ランプソケット，７．．．蛍光ランプ，８．．．ランプ線、９　Ａ、９　Ｂ．．．接続コネクタ，１０．．．導電性金具
【図１】
2004146321.tif 000003
【図２】
2004146321.tif 000004
【図３】
2004146321.tif 000005
【図４】
2004146321.tif 000006
【図５】
2004146321.tif 000007
(57)【要約】【課題】負荷が軽くなる調光時に、入力電流も連動的に少なくすることができ、回路に過大な電圧を与えることなく調光を行うことができる装置を提供する。【解決手段】インパータ回路に属するスイッチング素子２２のオン期間を可変可能として、昇圧チョッパ回路のスイッチングスイッチとして兼用し、調光時においてスイッチング素子２２のオン期間を短くすることによって、調光時における入力電流が抑えられるようにしたものである【選択図】　　図１
2004146325.tif 000002
【特許請求の範囲】
【請求項１】
順直列一対の第一スイッチング素子２１・第二スイッチング素子２２を備え、前記第一スイッチング素子２１に所定のオン期間を保持し前記第二スイッチング素子２２のオン期間を可変可能な制御回路であってそれらを交互にオンオフさせるよ引こ制御するスイッチング制御回路９０を備え、前記第一スイッチング素子２１と逆並列の第一フライホイールダイオード３１を備え、前記第二スイッチング素子２２と逆並列の第二フライホイールダイオード３２を備え、前記両スイッチング制御素子２１・２２の接続点に接続する点灯回路４０を備え、前記点灯回路は４０は放電灯４１とそれに直列のバラスト用インダクタ４２を含む回路であり、前記第一スイッチング素子２１を介して順方向電流を前記点灯回路４０へ供給する第一コンデンサ５１を備え、前記第二スイッチング素子２２を介して逆方向電流を前記点灯回路４０へ供給する第二コンデンサ５２を備え、交流電原間電圧を整流する整流形電源１０を備え、前記整流電源１０を補助インダクタ１９を介して前記第二スイッチング素子２２と順直列に接続したことを特徴とする放電灯調光装置。
【発明の詳細な説明】
【０００１】
【発明の属する技術分野】
本発明は昇圧チヨッパ回路と調光制御回路のオン期間可変形のスイッチング素子を兼用した放電灯調光装置に関するものである。
【０００２】
【従来の技術】
昇圧チヨッパ回路とインパータのスイッチング素子を兼用した回路は公知であり、またインバータのスイッチング素子の一方のスイッチング期間を可変し、安定な調光をさせる放電灯調光装置は公知である。
【０００３】
【発明が解決しようとする課題】
上記従来技術における昇圧チョッパ回路とインパータのスイッチング素子を兼用した回路と、インパータのスイッチング素子の一方のスイッチング期間を可変させる回路を組合せると、組合せによっては調光時の負荷が軽くなり、入力電源の規制がなされないため、回路電圧が過大となり素子が破壊する恐れがあつた。本発明はこの難点を解決するものである。
【０００４】
【課題を解決するための手段】
上記課題を解決するために、インパータ回路に属するスイッチング素子２２のオン期間を可変可能として、昇圧チョッパ回路のスイッチングスイッチとして兼用し、調光時においてスイッチング素子２２のオン期間を短くすることによって、調光時における入力電流が抑えられるようにしたものである。
【０００５】
【発明の実施の形態】
本発明の実施形態について図１を用いて説明する。交流電源電圧を整流する整流形電源１０を備え、前記整流電源１０を補助インダクタ１９を介して前記第二スイッチング素子２２を備えた昇圧チヨッパ回路を具備し、’順直列一対の第一スイッチング素子２１・第二スイッチング素子２２を備え、前記第一スイッチング素子２１に所定のオン期間を保持し前記第二スイッチング素子２２のオン期間を可変可能な制御回路であってそれらを交互にオンオフさせるように制御するスイッチング制御回路９０を備え、前記第一スイッチング素子２１と逆並列の第一フライホイールダイオード３１を備え、前記第二スイッチング素子２２と逆並列の第二フライホイールダイオード３２を備え、前記両スイッチング制御素子２１・２２の接続点に接続する点灯回路４０を備え、前記点灯回路４０は放電灯４１とそれに直列のバラスト用インダクタ４２を含む回路であり、前記第一スイッチング素子２１を介して順方向電流を前記点灯回路４０へ供給する第一コンデンサ５１を備え、前記第二スイッチング素子２２を介して逆方向電流を前記点灯回路４０へ供給する第二コンデンサ５２を備えたインパータ回路を具備する。
上記回路においては、インパータ回路に属するスイッチング素子２２のオン期間を可変可能として、昇圧チヨッパ回路のスイッチング素子として兼用する。制御回路９０はスイッチング素子２１のオン期間を一定に保持し、スイッチング素子２２のオン期間を鯛光度が進むごとに短くなるように制御する。このような調光制御をすることで、スイッチング素子２２には故電灯の出力が低下して負荷が軽くなっても、負荷に見合った適度な電流が流れ、過大な昇圧をすることはない。従って、昇圧チョッパ回路とインバータのスイッチング素子の兼用回路において、兼用するスイッチング素子のオン期間を可変して調光制御を行うことで、回路に過大な電圧を与えることなく調光を行うことができる。
【０００８】
【発明の効果】
本発明により、負荷が軽くなる調光時に、入力電流も連動的に少なくすることができ、回路に過大な電圧を与えることなく調光を行うことができる。
【図面の簡単な説明】
【図１】本発明装置の回路図である。
【符号の説明】
２１：第一スイッチング素子、２２：第二スイッチング素子、９０：スイッチング制御回路、３１：第一フライホイールダイオード、３２：第二フライホイールダイオード、４０：点灯回路、４１：放電灯、４２：バラスト用インダクタ、５１：第一コンデンサ、５２：第二コンデンサ、１０：整流形電源、１９：補助インダクタ
【図１】
2004146325.tif 000003
(57)【要約】【課題】固定と落下防止を配慮した安定器付吊具の構造を提供する。【解決手段】安定器付吊貝２に取付金具３を設け、取付ボックス５の側面に取付金具３を差し込めるように角穴６を設け更に、角穴６より隣の面に続くスリット７を設ける。取付金具３を角穴６に差込み、安定器付吊具２を回転させることにより取付金具３がスリット７に誘導されて定位置で止まり、止めネジ１３で固定できるようにした。【選択図】　　　図１
2004146323.tif 000002
【特許請求の範囲】
【請求項１】
取付ボックスの上両に大井面に取付ける取付穴と電源穴を備え、側面に角穴と隣の面に続くスリットを備え、更に隣の面に続いているスリットに１段落としたスリットを備え、前記取付ボックスを天井面に固定し、安定器村吊具にレ状の辺とその対辺にネジ穴を備えた取付金具を設け、レ状の辺側の取付金具を前記取付ボックスの側面に備えた角穴に差込み前記安定器付吊具を水平に移動させてから前記スリットを備えた隣の面倒に回転させる事により前記取付金具がスリットに誘導され前記１段落としたスリットに落とし込まれ、前記取付ボックスの対面側から止めネジで前記ネジ穴を備えた安定器吊具の取付金具に止めることにより天井に固定されることを特徴とする安定器付吊具。
【発明の詳細な説明】
【０００１】
【発明の属する技術分野】
本発明は安定器付吊具の取付構造に関する。
【０００２】
【従来の技術】
図５に示すように従来の安定器付吊具は天井に取付けるためにアイボルトを設けている。天井にフックを設けてアイボルトを引っ掛けて吊り下げる構造となっているため横揺れ時に安定器村吊具が揺れたり、落下に対する配慮がされていなかつた。
【０００３】
【発明が解決しようとする課題】
上記従来技術では横揺れするため、固定と落下防止を配慮した安定器付吊具の構造を考案することを目的とする。
【０００４】
【課題を解決するための手段】
上記目的を解決する為に安定器付吊貝に取付金具を設け、取付ボックスの側面に取付金具を差し込めるように角穴を設け更に、角穴より隣の面に続くスリットを設ける。取付金具を角穴に差込み、安定器付吊具を回転させることにより取付金具がスリットに誘導されて定位置で止まり、止めネジで固定できるようにした。
【０００５】
【発明の実施の形態】
本発明の実施形態を図１〜図４より説明する。取付ボックス５の上面に露出ボックス１６取付用の取付穴Ａ９とインサートボルト取付用の取付穴Ｂ１０を設け、電源穴１１を設ける。取付ボックス５の側面に角穴６を設け角穴６を設けた面の隣の面に向かってスリット７を設け、更にスリット７に１段落とし込んだ取付金具固定スリット８を設ける．安定器１に吊具２を取り付け、安定器１の上面に電線線１２を出し、レ状の辺１７とその対辺にネジ穴４を設けた取付金具３を安定器１の上面に取り付ける。天井画に取付ボックス５を取り付け、取付ボックス５の側両に設けた角穴６に安定器１に取り付けた取付金具３のレ状の辺１７側を差込み安定器１を引っ掛けて吊るし電源線１２を結線する。安定器１を水平にしてから取付金具固定スリット８を設けた隣の面に向かって回転させる事により取付金具３がスリット７を通りながら取付金具固定スリット８に誘導される。取付金具固定スリット８を設けた面の対面に止めネジ用穴１８を設け止めネジ１３を取り付ける事により取付ボックス５の中で取付金具３に設けたネジ穴４に固定され、レ状の辺１７側が一段落とし込んだ取付金具固定スリット８の位置で止まる事により取付ボックス５と安定器１が固定される。
【０００６】
【発明の効果】
本発明によれば、安定器吊具を取付ボックスに引っ掛けた状態で結線作業が行なえ施工を容易にすると共に、取付ボックスに止めネジ１点で固定ができるため省施工の効果がある。さらに止めネジが外れても取付金具がスリットに引っ掛かり落下防止の配慮がされている。
【図面の簡単な説明】
【図１】本発明吊具による外観図である。
【図２】その分解図である。
【図３】その安定器付吊具の取付時の動作を示した側面図である。
【図４】その安定器付吊具の天井取付時の側面図である。
【図５】従来の安定器村吊具の天井取付時の側面図である。
【符号の説明】
１：安定器、２：吊具、３：取付金具、４：ネジ穴、５：取付ボックス　６：角穴、７：スリット、８：取付金具固定スリット、９：取付穴Ａ、１０：取付穴Ｂ
１１：電線穴、１２：電源線、１３：止めネジ、１４：アイボルト、１５：フック、１６：露出ボックス、１７：レ状の辺、１８：止ネジ用穴
【図１】
2004146323.tif 000003
【図２】
2004146323.tif 000004
【図３】
2004146323.tif 000005
【図４】
2004146323.tif 000006
【図５】
2004146323.tif 000007